(57)【要約】【課題】回収されたシャッタ速度の速いレンズ付きフイルムユニットに、簡単な追加工を施すだけで、標準撮影用レンズ付きフイルムユニットを作る。【解決手段】レンズベース５０にストッパー５１、絞り開口５２、レンズ受け部５３ａおよびレンズカバー係止爪５４を一体に形成した。絞り開口５２は撮影レンズ８０を透過する光量を制限する。レンズ受け部５３ａは前記撮影レンズ８０を光軸方向で位置決めする。前記撮影レンズ８０を収容するレンズ筒５３と、レンズカバー係止爪５４は、このレンズ筒５３の前端に装着され前記撮影レンズ８０を前記レンズ受け部５３ａとの間に挟持するレンズカバー８５を係止する。ストッパー５１はシャッタ羽根４０が絞り開口５２を開いた後、直ちに当接してシャッタ羽根４０の最大回動量を制限する。回収されたレンズベース５０のストッパー５１を所定位置で削除し、絞り開口５２も加工して大きくする。【選択図】図３
2007256517.tif 000002
【特許請求の範囲】
【請求項１】
未露光の写真フイルムが予め装填され、レンズベースと、レンズベースで保持された撮影レンズと、この撮影レンズの背後で蹴飛ばし式に回動するシャッタ羽根とを備え、前記レンズベースに、撮影レンズを光軸方向で位置決めするレンズ受け部と、撮影レンズを通り前記写真フイルムに達する被写体光の光量を制限する絞り開口と、前記シャッタ羽根が開き方向に回動したときにシャッタ羽根に当接してその最大回動量を制限するストッパーとを一体に形成したレンズ付きフイルムユニットの、回収後の再製造工程において、
前記レンズベースに設けられたストッパーを、所定位置から削除し、前記露光時間を変更したレンズ付きフイルムユニットとして再製造することを特徴とするレンズ付きフイルムユニットのリサイクル方法。
【請求項２】
前記ストッパーには、削除する所定位置に切り込みマークが設けられていることを特徴とする請求項１記載のレンズ付きフイルムユニットのリサイクル方法。
【請求項３】
前記レンズベースに設けられた絞り開口を大きく加工した後に、前記レンズベースを前記再製造工程にて使用することを特徴とする請求項１または２記載のレンズ付きフイルムユニットのリサイクル方法。
【請求項４】
前記レンズベースが回収される前のレンズ付きフイルムユニットに装填された未露光の写真フイルムに比べ、感度が低い未露光の写真フイルムを装填したことを特徴とする請求項１ないし３いずれか記載のレンズ付きフイルムユニットのリサイクル方法。
【発明の詳細な説明】
【技術分野】
【０００１】
本発明はレンズ付きフイルムユニットのリサイクル方法に関するものである。
【背景技術】
【０００２】
いつでもどこでも手軽に写真撮影を楽しむことができるレンズ付きフイルムユニットが提供されている。レンズ付きフイルムユニットの構造は単純で、基本的に撮影レンズ、シャッタ機構、及び未露光の写真フイルムから形成され、オートフォーカスやオート露出機構などは装備されていない。
【０００３】
未露光の写真フイルムは、カートリッジから引き出され、本体ベースの一方側に設けたフイルム室に収納されている。カートリッジは他方側に設けたカートリッジ室に装填され、撮影する毎に撮影済みの写真フイルムを収納していく。カートリッジ室は、被写体側の前方がカートリッジの外周に相似する周面となった断面Ｕ字状の形状をしている。
【０００４】
撮影レンズとしては、大量生産が可能なプラスチック製のレンズを１枚又は２枚で構成したものが知られており、例えば３５ｍｍ幅のカートリッジ付き写真フイルム（１３５タイプ）や２４ｍｍ幅のカートリッジ付き写真フイルム（ＩＸ２４０タイプ）を内蔵する場合、焦点距離が例えば３５ｍｍ以下の準広角レンズが用いられる。この準広角レンズを用いることで、レンズ部の厚みを薄くすることができ、しかもコンパクトカメラと同じ焦点距離の撮影レンズと比べ、絞り開口を小さくし、Ｆナンバーを例えば１０程度となるようにして、被写体深度を深くし、それによって、ピント調節機構を備えていなくても遠距離から近距離までの広い範囲において良好な画質を得ている。
【０００５】
また、内蔵する写真フイルムは、ＩＳＯ４００のものが一般的であるが、ＩＳＯ８００やＩＳＯ１６００など感度の高いフイルムを採用しているものもある。
【０００６】
また、フラッシュ装置を搭載することによって、暗い室内等でも撮影を行うことができるようにしたストロボ内蔵型もある。
【０００７】
シャッタ機構は、ローコスト化を図るために、揺動自在な１枚のシャッタ羽根を持ち、この一端を蹴飛ばして露光開口を開閉する蹴飛ばしタイプのシャッタ機構が用いられている。
【０００８】
このシャッタ機構は、シャッタ駆動レバー、シャッタ羽根、及び戻しバネなどで構成されている。シャッタ駆動レバーは、フイルム巻き上げ操作に応答して初期位置からチャージ位置にチャージバネの付勢に抗して往動し、またシャッタレリーズ操作に応答してチャージ位置から初期位置にチャージバネの開放力で復動する。
【０００９】
シャッタ羽根は、一端に爪部が、また他端に開閉部がそれぞれ設けられており、シャッタ駆動レバーが復動するときにその一端によって爪部が蹴飛ばされ、爪部と開閉部との間に設けた軸着部を中心に回動して開閉部が露光開口を開く。露光開口を開放した後は、戻しバネの付勢により戻されて開閉部が露光開口を塞ぐ（下記特許文献１参照）。
【００１０】
近年、レンズ付きフイルムユニットには、フイルムの高感度化に伴い、蹴飛ばしタイプのシャッタ機構を用いてストロボ撮影時にシャッタ速度をメカ的に切替えるタイプ（下記特許文献２参照）や、絞りを切替えるタイプ（下記特許文献３および４参照）が提案されている。
【００１１】
また各種販売されているレンズ付きフイルムユニットの一つに、高感度の写真フイルムを装填するとともに、シャッタ速度や絞りを可変にし、室内や夜間の撮影での背景描写性を向上させたものがある。このレンズ付きフイルムユニットは、室内や夜間での撮影時に主要被写体にフラッシュをあてて十分な明るさを確保した上で、背景を写し込める仕様となっている。
【００１２】
高感度の写真フイルムが装填されたモード切替え型のレンズ付きフイルムユニットとして、本出願人により製造販売されているレンズ付きフイルムユニット「Ｎｉｇｈｔ＆Ｄａｙ（商品名）」が知られている。このレンズ付きフイルムユニットは、日中屋外等の明るい場所での撮影に対応する日中撮影モード（ストロボ発光せず）と日中シンクロ撮影モード（ストロボ発光あり）と、夜景や暗い室内を背景にし、その背景を適当な濃度で再現しながら人物等の主要被写体をストロボ光で撮影する場合に対応する夜景シンクロ撮影モードの３つの撮影モードを備えている（下記特許文献５および６参照）。
【００１３】
このように多種多様のレンズ付きフイルムユニットが商品化されており、ユーザーは用途に応じたものを選択して写真撮影を楽しむことができる。
【００１４】
一方、資源節約を図るとともに、産業廃棄物を削減するために、レンズ付きフイルムユニットのリサイクルが積極的に進められている。ユーザーが撮影済の写真フイルムを収納したレンズ付きフイルムユニットを現像取扱店に持っていくと、このレンズ付きフイルムユニットは更に現像所に集められ、ここで写真フイルムが取り出されてフイルム現像、プリント処理が施される。写真フイルムが取り出されたレンズ付きフイルムユニットはメーカーによって回収され、部品ごとに分解された後、再使用可能なものはそのまま製造工程に供給され、使用できないものは原材料としての利用が図られている。また、シャッタ機構等のようにユニット化されたものについては機能検査を行い、ユニット単位で再使用の可否が判定される。
【００１５】
この時、前述のような特殊な用途に適したレンズ付きフイルムユニットは、その商品寿命が短く、回収されてもその全てをリサイクルして使用することが出来ない場合が多く、特殊仕様の部品は、他の品種のレンズ付きフイルムユニットに再利用出来ず、リサイクルの効率が極めて悪い状態となっている。
【特許文献１】特開平０６−２５８６８６号公報
【特許文献２】特開平１１−３２６９８７号公報
【特許文献３】特開平１１−１８０６７４号公報
【特許文献４】特開２００１−１６２８０３号公報
【特許文献５】特開２００２−１３９１９３号公報
【特許文献６】特開２００２−２４２５７２号公報
【発明の開示】
【発明が解決しようとする課題】
【００１６】
高感度の写真フイルムを装填することで、シャッタ速度を速くし、スポーツシーンの撮影など動きのある被写体を撮影するのに適したレンズ付きフイルムユニットを提供したいが、そのために使用する部品が標準仕様のものと異なってしまうため、製造コストがアップすると伴に、回収後、再使用されることが少なく、リサイクル効率が悪いという問題がある。
【００１７】
本発明は上記問題点を解決するためになされたもので、レンズベースに、シャッタ速度可変機能と被写体光の光量を制限する絞り開口を設けて、レンズベースに簡単な追加工を加えるだけで、標準仕様のレンズ付きフイルムユニットを再製造できるようにすることを目的とする。
【課題を解決するための手段】
【００１８】
上記目的を達成するために、本発明における最初に作られるレンズ付きフイルムユニットは、レンズベースと、レンズベースで保持された撮影レンズと、この撮影レンズの背後で蹴飛ばし式に回動するシャッタ羽根とを備え、前記レンズベースに、撮影レンズを通り前記写真フイルムに達する被写体光の光量を制限する絞り開口と、前記シャッタ羽根が開き方向に回動したときにシャッタ羽根に当接してその最大回動量を最小に制限するストッパーとを一体に形成したスポーツ撮影用のレンズ付きフイルムユニットである。
【００１９】
本発明のレンズ付きフイルムユニットの機種変更リサイクル方法は、前記スポーツ撮影用のレンズ付きフイルムユニットが回収された後に、前記レンズベースの前記ストッパーを削除し、シャッタ羽根が当接する面の位置を光軸中心から遠ざける追加工を施す。追加工を施したレンズベースを、標準撮影用レンズ付きフイルムユニットの製造に使用する。
【００２０】
前記レンズベースの絞り開口を、標準撮影用と同じ大きさになるように追加工すると、レンズの明るさが明るくなり、標準撮影用レンズ付きフイルムユニットとしては好ましい。
【発明の効果】
【００２１】
本発明のレンズ付きフイルムユニットの機種変更リサイクル方法によれば、高感度の写真フイルムを装填してシャッタ速度を速くし、スポーツシーンの撮影など動きのある被写体を撮影するのに適した特別仕様のレンズ付きフイルムユニットを、回収した後にレンズベースに簡単な追加工をするだけで、標準仕様のレンズ付きフイルムユニットとして再製造するので、特別仕様のレンズ付きフイルムユニットの製造コストを押さえ、リサイクルにおいては、その再利用の効率アップを可能とすることができる。
【発明を実施するための最良の形態】
【００２２】
本発明によるレンズ付きフイルムユニットの機種変更リサイクル方法について、以下説明を行う。図１は本発明を実施したレンズ付きフイルムユニットの外観を示す。レンズ付きフイルムユニット２は、写真フイルムが装填され各種撮影機構が組み込まれたユニット本体３と、このユニット本体３の外周に巻き付けられるようにして貼付されるラベル４とからなる。ラベル４には、ユニット本体３の各部を露呈させるための開口が形成されている。
【００２３】
ユニット本体３の前面には、撮影レンズ５，対物側ファインダ窓６，ストロボ発光部７，ストロボ操作部材８等が設けられている。ユニット本体３の上面には、シャッタボタン１１，カウンター表示窓１２，充電完了表示部材１３等が設けられている。ユニット本体３の背面からは、撮影後のフイルム巻き上げに用いられる巻上げノブ１４の一部が露呈されている。
【００２４】
図２に分解して示すように、ユニット本体３は、メカユニット２５，本体ベース１６，ストロボユニット１７，前カバー１８，後カバー１９，フイルムカートリッジ２０から構成されている。フイルムカートリッジ２０はＩＸ２４０タイプのものであり、カートリッジ本体２１とこのカートリッジ本体２１内に収納される写真フイルム２２とからなる。
【００２５】
本体ベース１６の前面中央部には、アパーチャー１５が設けられている。写真フイルム２２は、このアパーチャー１５に対面する位置で停止された後に露光される。本体部１６に設けられたカートリッジ室の上部には、巻上げノブ１４が回転自在に取り付けられる。この巻上げノブ１４の下面には駆動軸が一体に設けられており、この駆動軸はカートリッジ室に装填されたカートリッジ本体２１のスプールの端部に係合する。１コマの撮影後に巻上げノブ１４を回転操作すると、写真フイルム２２の露光済みの部分がカートリッジ本体２１内に巻き上げられる。
【００２６】
メカユニット２５の一部分解図を図３に示す。メカユニット２５は本体ベース１６に係止爪により係止されている。メカユニット２５は基部となる暗箱を形成するメカベース２６とその他の機構部品によって構成されている。メカベース２６の上側面には、ファインダーユニット２７、フイルム巻き止め機構２８、カウンター機構２９、シャッタチャージ機構３０が組みつけられている。
【００２７】
また、メカベース２６の前面には、シャッタベース３５が一体に形成されている。シャッタ羽根４０は、メカベース２６に設けられた軸３７に、軸着穴４５が回転可能に嵌合し、閉じ位置にある時は、開閉部４３が、シャッタベース３５に設けられた露光開口３６を覆っている。
【００２８】
ここで本発明を実施したレンズ付きフイルムユニットの一実施例について、最初に製造された時の特徴を説明する。まず初めにスポーツシーンなど動きのある被写体を撮影するのに適したレンズ付きフイルムユニットが製造される。そのレンズ付きフイルムユニットは、シャッタ速度は標準撮影用より速く、例えば１／２００秒とし、同じレンズを使い被写体深度を深くするため、絞り値はＦ１４として使用し、装填するフイルムはＩＳＯ感度１６００の高感度品を用いる（図１３参照）。
【００２９】
巻上げノブ１４によって露光済みのフイルム２２が前記カートリッジ本体２１に収納されるとき、この巻き上げ力によって前記シャッタチャージ機構３０が作動し、シャッタ駆動レバー３３がチャージ位置にセットされる。
【００３０】
ここで前記シャッタボタン１１を押し下げると、前記シャッタ駆動レバー３３の係止が解除され、初期位置まで高速で戻る。この時、その移動上に前記シャッタ羽根４０の爪部４２が張り出しているため、爪部４２は強い力で蹴飛ばされる。蹴飛ばされた前記シャッタ羽根４０は、前記メカベース２６に設けられた軸３７を中心に時計方向に回動し、前記シャッタ羽根４０の開閉部４３は、絞り開口５２を開いた後、レンズベース５０に設けられたストッパー５１に当接する。前記シャッタ羽根４０は、ストッパー５１に当接した後、反転し、戻しバネ３９により、前記絞り開口５２を閉じる初期位置に復帰する。
【００３１】
この時、前記シャッタ羽根４０が絞り開口５２を開いた後、ストッパー５１に当接するまでの距離によって、当接した時の前記シャッタ羽根４０の受ける反発力の大きさが異なってくる。いま前記ストッパー５１は、前記シャッタ羽根４０が絞り開口５２を開いた後、直ちに当接する位置に配置されているため、その反発力は大きく、前記シャッタ羽根４０が初期位置に戻るまでの時間が短くなる。
【００３２】
また、絞り開口５２は標準撮影用より少し小絞りのＦ１４になっており、被写界深度が深いのでボケ量が少なく、動きのある被写体でもシャープに写すことができる。さらに開口径が小さいので、シャッタ速度を速くするには有利である。
【００３３】
図４は戻しバネ３９によってシャッタ羽根４０が閉じ位置にある状態を示し、露光開口３６をシャッタ羽根４０の開閉部４３が覆っている。
【００３４】
図５はシャッタ羽根４０の爪部４２がシャッタレバー３３によって蹴飛ばされ、開閉部４３が回動し、開閉部４３の縁がレンズベース５０に設けられたストッパー５１に当接した瞬間の状態を示している。ここでは前記開閉部４３が時計方向に回動し露光開口３６を露呈している。
【００３５】
シャッタ側から見たときのレンズベース５０を図６に示す。絞り開口５２、レンズ筒５３、レンズカバー係止爪５４とレンズ受け部５３ａを、Ａ−Ａ矢視断面として図８に示す。前記絞り開口５２はＦ１０と標準的な明るさとなるように設定してあり、前記レンズ受け部５３ａは撮影レンズ５のジャストピント位置が５．６ｍになるように設定してある。
【００３６】
図９に示すようにレンズベース５０に設けられたストッパー５１には切り込みマーク５１ａおよび５１ｂがある。
【００３７】
撮影レンズ６０は、レンズベース５０に一体に形成されたレンズ筒５３に収容され、このレンズ筒５３の前端にレンズカバー８５を装着することによって、前記レンズ受け部５３ａとの間に挟持される。レンズカバー８５は、一体に形成された被係止部８５ａがレンズベース５０に一体に形成されたレンズカバー係止爪５４と係合し、撮影レンズ８０を固定、位置決めする。
【００３８】
機種が異なるとレンズ受け部の位置やレンズ筒の長さが違ってくるが、レンズ筒５３の前端からレンズカバー係止爪５４までの寸法は、レンズベースが変わっても同じとされており、レンズカバー８５は共通に使用可能となっている。
【００３９】
次にストロボのシンクロ切片の構造的特徴について説明する。シャッタボタン１１の押し下げによって解除された前記シャッタ駆動レバー３３が、前記シャッタ羽根４０の爪部４２を蹴飛ばし、蹴飛ばされた前記シャッタ羽根４０は、前記シャッタベース３５に設けられた軸３７を中心に時計方向に回動し、絞り開口５２を開き、ストッパー５１に当接した後に反転し、戻しバネ３９により、初期位置に復帰する。
【００４０】
この時、前記シャッタ羽根４０に設けられた押圧部４６がストロボユニット１７のシンクロ切片６０ａを押し下げ、シンクロ切片６０ａがシンクロ切片６０ｂに接触し、ストロボが発光する。（図４および図５参照）
【００４１】
前述のようにスポーツ撮影用レンズ付きフイルムユニットのシャッタ速度は標準撮影用より速く、１／２００秒に設定されている。前記シャッタ羽根４０は絞り開口５２を開いた後、直ちに反転し閉じ動作に入る。このため前記絞り開口５２が完全に開いている時間はかなり短く、前記シャッタ羽根４０の前記押圧部４６は、前記２つのシンクロ切片を確実に接触させるのに十分なストロークを確保することが非常に難しい。
【００４２】
そこでシャッタ速度の速い前記レンズ付きフイルムユニットに搭載するストロボユニット１７は、２つのシンクロ切片のうち、前記シャッタ羽根４０の前記押圧部４６に押される側の前記シンクロ切片６０ａの先端部を何回も折り返して、先端部が重くなるように形成してある（図１２参照）。これによって、前記シンクロ切片６０ａの前記押圧部４６に押される量が不十分であっても、前記シンクロ切片６０ａの先端部の慣性によって、前記シンクロ切片６０ａは前記シンクロ切片６０ｂに十分な接触をすることができ、前記ストロボユニット１７は発光不良を起こすことがない。
【００４３】
以上のように構成されたスポーツ撮影用レンズ付きフイルムユニットが、使用された後に回収され、標準撮影用レンズ付きフイルムユニットとして、再製造される過程について説明する。
【００４４】
回収されたレンズ付きフイルムユニットは部品ごとに分解された後、再使用可能なものはそのまま製造工程に供給される。メカユニットも部品ごとに分解され検査を行った後に製造工程に供給されるが、この時レンズベース５０は、ストッパー５１および絞り開口５２に次の加工を施した後に組立工程に供給される。
【００４５】
前記レンズベース５０のストッパー５１には、切り込みマーク５１ａおよび５１ｂがあり、この切り込みマーク５１ａと５１ｂを結んだ線のところで、そこよりレンズ光軸に近い側を削除する。これによりシャッタ羽根４０がストッパー５１に当接する面は、絞り開口より離れ、シャッタ羽根４０がストッパー５１に当接するまでの時間は長くなると伴に、反発力は弱くなるため、全体として露光時間は長くなり、標準撮影用と同じとなる。
【００４６】
また、レンズベース５０の絞り開口５２を大きくするため、Ｆ１４の絞り開口を標準撮影用と同じＦ１０となるように切削加工を施す。これによって明るさや被写界深度が標準撮影用と同じとなり、標準撮影用レンズベース５５が作られる。
【００４７】
このように追加工を施したレンズベース５５は標準撮影用レンズベースと全く同じものとなる。
【００４８】
そしてこのレンズベース５５は標準撮影用レンズ付きフイルムユニットの組立工程に送られ、他の部品と伴に新たなレンズ付きフイルムユニットとして製造される。この時、装填されるフイルムはレンズ付きフイルムユニットとしては標準的なＩＳＯ４００のものが使われる。
【００４９】
以上のように、最初スポーツシーンの撮影に適したスポーツ撮影用レンズ付きフイルムユニットとして製造されたものが、ユーザーによって使用された後に回収され、その後の再製造工程において、構成部品の１つであるレンズベースを追加工しただけで、標準撮影用として再び生まれ変わることができる。
【００５０】
このように、本発明のレンズ付きフイルムユニットの機種変更リサイクル方法によれば、スポーツ撮影用レンズ付きフイルムユニットのレンズベース５０を、追加工によって標準撮影用レンズベース５５に変更可能な構造としてあるので、回収後、生産量の多い標準撮影用レンズ付きフイルムユニットに再度使用することが出来る。
【００５１】
これによって、特別な仕様につきものの少量製造故のコストアップを押さえ、リサイクルにおいては、その再利用効率のアップを可能とすることができる。
【００５２】
なお、上記実施形態では、スポーツ撮影用レンズ付きフイルムユニットの回収されたレンズベースを、標準撮影用レンズ付きフイルムユニットのレンズベースとして加工して使用しているが、本発明はこれに限定するものではなく、回収されたレンズ付きフイルムユニットを、基のレンズ付きフイルムユニットとは異なる仕様のレンズ付きフイルムユニットに再製造するときに用いることもできる。
【００５３】
また、上記実施形態では、前記シンクロ切片６０ａの先端部を何回も折り返して、先端部が重くなるように形成したが、前記シンクロ切片６０ａとは別に作られた錘を、前記シンクロ切片６０ａの先端部に取付けることでも良い。
【図面の簡単な説明】
【００５４】
【図１】本発明のレンズ付きフイルムユニットの概観を示す斜視図である。
【図２】本体ユニットの分解を示す斜視図である。
【図３】露光ユニットの一部分解を示す斜視図である。
【図４】シャッタ羽根の閉じた状態を前面から見た図である。
【図５】シャッタ羽根の開いた状態を前面から見た図である。
【図６】本発明のスポーツ撮影用レンズ付きフイルムユニットに組み込まれるレンズベースをシャッタ羽根側から見た図で、ストッパーと絞り開口を示す。
【図７】本発明の再製造された標準撮影用レンズ付きフイルムユニットに組み込まれるレンズベースをシャッタ羽根側から見た図で、追加工されたストッパーと絞り開口を示す。
【図８】図６に示すスポーツ撮影用レンズベースの絞り開口とレンズ受け部の断面図である。
【図９】図６に示すスポーツ撮影用レンズベースのストッパー部分（Ｂ部円内）の拡大図である。
【図１０】図７に示す標準撮影用として追加工されたレンズベースの絞り開口とレンズ受け部を示す断面図である。
【図１１】図７に示す標準撮影用として追加工されたレンズベースのストッパー部分（Ｂ部円内）の拡大図である。
【図１２】ストロボのシンクロ切片ユニットを示す斜視図である。
【図１３】スポーツ撮影用レンズベースと標準撮影用レンズベースの設定条件を現した表である。
【図１４】レンズ付きフイルムユニットの機種変更リサイクルの流れを現したフロー図である。
【符号の説明】
【００５５】
２６  メカベース
４０  シャッタ羽根
４２  爪部
４６  押圧部
５０，５５  レンズベース
５１，５６  ストッパー
５２，５７  絞り開口
５３，５８  レンズ筒
５３ａ，５８ａ  レンズ受け部
５４，５９  レンズカバー係止爪
６０  シンクロ切片ユニット
６０a，６０b  シンクロ切片
８０  撮影レンズ
８５  レンズカバー
【図１】
2007256517.tif 000003
【図２】
2007256517.tif 000004
【図３】
2007256517.tif 000005
【図４】
2007256517.tif 000006
【図５】
2007256517.tif 000007
【図６】
2007256517.tif 000008
【図７】
2007256517.tif 000009
【図８】
2007256517.tif 000010
【図９】
2007256517.tif 000011
【図１０】
2007256517.tif 000012
【図１１】
2007256517.tif 000013
【図１２】
2007256517.tif 000014
【図１３】
2007256517.tif 000015
【図１４】
2007256517.tif 000016